(57)【要約】界面活性剤系及び封入体を有する液体洗剤組成物であって、当該界面活性剤系は、アニオン性アルコキシル化アルキルサルフェート界面活性剤を含む。この洗剤の製造方法及び使用方法。
2019515098.tif 000002
【特許請求の範囲】
【請求項１】
液体洗剤組成物であって、
前記洗剤組成物の５〜６０重量％の界面活性剤系と、
前記組成物の０．１重量％〜５重量％の封入体とを含み、
前記界面活性剤系は、前記界面活性剤系の７０重量％〜１００重量％の濃度で存在するアニオン性アルコキシル化アルキルサルフェート界面活性剤を含み、
前記封入体は、コアと、前記コアを少なくとも部分的に取り囲む壁とを含み、
前記コアは有益剤を含み、
前記壁は前記壁の外表面上にコーティングを含む、液体洗剤組成物。
【請求項２】
前記組成物は、前記洗剤組成物の８重量％〜３０重量％又は１０重量％〜３０重量％、１５重量％〜２５重量％、又は１５重量％〜２０重量％の界面活性剤系を含む、請求項１に記載の洗剤組成物。
【請求項３】
前記組成物は、前記界面活性剤系の７５重量％〜１００重量％、８０重量％〜１００重量％、８５重量％〜９５重量％のアニオン性アルコキシル化アルキルサルフェート界面活性剤を含む、請求項１又は２に記載の洗剤組成物。
【請求項４】
前記アニオン性アルコキシル化アルキルサルフェート界面活性剤は、アニオン性エトキシル化アルキルサルフェート界面活性剤を含む、請求項１〜３のいずれか一項に記載の洗剤組成物。
【請求項５】
前記アニオン性エトキシル化アルキルサルフェート界面活性剤は、１〜５、好ましくは１〜３の平均エトキシル化度を有する、請求項４に記載の洗剤組成物。
【請求項６】
前記アニオン性アルコキシル化アルキルサルフェート界面活性剤は、アルコキシル化Ｃ１０〜Ｃ１６、好ましくはＣ１２〜Ｃ１６、より好ましくはＣ１２〜Ｃ１４のサルフェート界面活性剤を含む、請求項１〜５のいずれか一項に記載の洗剤組成物。
【請求項７】
前記界面活性剤系は、任意で、前記界面活性剤系の２０重量％以下のアルキルスルホネート界面活性剤、好ましくはアルキルベンゼンスルホネート界面活性剤、より好ましくは直鎖アルキルベンゼンスルホネート界面活性剤を含む、請求項１〜６のいずれか一項に記載の洗剤組成物。
【請求項８】
前記界面活性剤系は、任意で、前記界面活性剤系の５重量％以下の非イオン性界面活性剤、好ましくは非イオン性アルコキシル化脂肪族アルコール界面活性剤、より好ましくは非イオン性エトキシル化脂肪族アルコール界面活性剤を含む、請求項１〜７のいずれか一項に記載の洗剤組成物。
【請求項９】
前記組成物は、０．１％〜１％の前記封入体を含む、請求項１〜８のいずれか一項に記載の洗剤組成物。
【請求項１０】
前記有益剤は香料原料を含む、請求項１〜９のいずれか一項に記載の洗剤組成物。
【請求項１１】
前記コーティングは、カチオン性効率ポリマー、好ましくは、多糖類、カチオン変性デンプン、カチオン変性グアー、ポリシロキサン、ポリジアリルジメチルアンモニウムハライド、ポリジアリルジメチルアンモニウムクロリドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択されるカチオン性効率ポリマーを含む、請求項１〜１０のいずれか一項に記載の洗剤組成物。
【請求項１２】
前記コーティングは、ポリビニルアミン、ポリビニルホルムアミド、ポリアリルアミン、これらのコポリマー、及びこれらの混合物、好ましくはポリビニルホルムアミドから選択されるカチオン性効率ポリマーを含む、請求項１〜１１のいずれか一項に記載の洗剤組成物。
【請求項１３】
前記壁は、アミノプラストコポリマー、アクリル、アクリレート、及びこれらの混合物からなる群から選択される壁材料を含む、請求項１〜１２のいずれか一項に記載の洗剤組成物。
【請求項１４】
前記壁材料は、アミノプラストコポリマー、好ましくはメラミンホルムアルデヒド、尿素ホルムアルデヒド、架橋メラミンホルムアルデヒド、又はこれらの混合物から選択されるアミノプラストコポリマーを含む、請求項１３に記載の洗剤組成物。
【請求項１５】
前記組成物は、酵素、増白剤、洗浄ポリマー、アミン、色相染料、外部構造化剤、脂肪酸若しくはその塩、又はこれらの組み合わせから選択される添加剤を更に含む、請求項１〜１４のいずれか一項に記載の洗剤組成物。
【請求項１６】
布地を処理する方法であって、前記方法が、請求項１〜１５のいずれか一項に記載の洗剤組成物に布地を接触させる工程を含む、方法。
【発明の詳細な説明】
【技術分野】
【０００１】
本開示は、界面活性剤系及び封入体を有する液体洗剤組成物に関し、当該界面活性剤系は、アニオン性アルコキシル化アルキルサルフェート界面活性剤を含む。本開示はまた、例えば、布地を処理するためにこのような洗浄剤を製造及び使用する方法にも関する。
【背景技術】
【０００２】
複数の界面活性剤を含む界面活性剤系を有する洗剤組成物が知られている。そのような洗剤は、洗浄について幅広い利点が得られ得るが、その製造は複雑で、高価になり得る。
【０００３】
複雑さやコストの観点からは、界面活性剤系をよりシンプルにすることが好ましいであろうが、そのような界面活性剤系では往々にしてロバスト性が下がってしまう。このことから、メーカーはその洗剤がより魅力的となるよう、芳香剤のような、他の消費者関連の有益剤を含めることを望み得る。
【０００４】
当該有益性は、封入体として実現されてもよい。これにより、表面に付着した後に、長く香りを放出可能である。しかし、封入体が十分に付着しなければ、無駄に封入体（並びにその中に含まれた有益剤）が消費されてしまう。
【発明の概要】
【発明が解決しようとする課題】
【０００５】
単純な界面活性剤系と封入体とを有する洗剤組成物の改善が求められている。
【課題を解決するための手段】
【０００６】
本開示は、界面活性剤系と封入体とを含む、液体洗剤組成物に関する。界面活性剤系はアニオン性アルコキシル化アルキルサルフェート界面活性剤を含むことができる。
【０００７】
本開示は、更に液体洗剤組成物に関し、この液体洗剤組成物は、当該液体洗剤組成物の約５〜約６０重量％の界面活性剤系を含み、当該界面活性剤系は、当該界面活性剤系の約７０重量％〜１００重量％の濃度で存在するアニオン性アルコキシル化アルキルサルフェート界面活性剤を含み、当該組成物は、当該組成物の約０．１重量％〜約５重量％の封入体を更に含み、当該封入体は、コアと、当該コアを少なくとも部分的に取り囲む壁とを含み、当該コアは有益剤を含み、当該壁は当該壁の外表面上にコーティングを含む。
【０００８】
本開示は更に、このような洗剤組成物の製造及び使用方法にも関する。本開示は、例えば、本開示の洗剤組成物を布地に接触させる工程を含む、布地の処理方法に関する。
【図面の簡単な説明】
【０００９】
本明細書の図面は、事実上例示的なものであり、制限的であることを意図したものではない。
【００１０】
【図１】本開示による封入体１０を示す。
【発明を実施するための形態】
【００１１】
驚くべきことに、アニオン性アルキルアルコキシル化サルフェート界面活性剤を豊富に有し、コーティングされた封入体を含む洗剤組成物は、その他界面活性剤系よりも高性能であってことが確認された。理論に縛られることを望むものではないが、洗剤組成物は、カプセル壁のコーティングと相互作用し、高度のアルキルアルコキシル化スルフェートは、洗い処理中に、カプセル状態を保つのに特に効果的と考えられる。
【００１２】
本開示の組成物及びプロセスの構成要素は、以下により詳細に記載されている。
【００１３】
本明細書において使用する場合、特許請求の範囲で使用されるときの「ａ」及び「ａｎ」という冠詞は、特許請求又は記載されているもののうちの１つ又は２つ以上を意味すると理解される。本明細書において使用する場合、「含む（include）」、「含む（includes）」、及び「含んでいる（including）」という用語は、非限定的であることを意味する。本開示の組成物は、本開示の成分を含み、それらから本質的に成り、又はそれらから成ることができる。
【００１４】
本明細書では、用語「実質的に含まない（substantially free of）」又は「実質的に含まない（substantially free from）」が使用され得る。これは、指示される物質が最小限の量であり、組成物の一部を形成するように意図的に組成物に添加されない、又は、好ましくは、分析的に検出可能な濃度で存在しないことを意味する。それは、示された材料が意図的に含まれる他の材料の１つの中に不純物としてのみ存在する、組成物を含むことを意味する。示された材料は、任意で、組成物の１重量％未満、又は０．１重量％未満、又は０．０１重量％未満、又は更には０重量％の濃度で存在してもよい。
【００１５】
本明細書における「柔軟剤組成物」という用語は、布処理用に設計された組成物及び配合物を含む。かかる組成物としては、洗濯洗浄組成物及び洗剤、布地用柔軟化組成物、布地用強化組成物、布地用消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織シート表面又は内部に含有される洗剤、及び本明細書の教示を考慮すると当業者には明白であろう他の好適な形態が挙げられるが、これらに限定されない。かかる組成物を洗濯前処理、洗濯後処理として使用してもよく、あるいは洗濯動作のすすぎ又は洗浄サイクル中に加えてもよい。
【００１６】
特に明記しない限り、成分又は組成物の濃度は全て、当該成分又は組成物の活性部分に関するものであり、かかる成分又は組成物の市販の供給源中に存在し得る不純物、例えば、残留溶媒又は副生成物は除外される。
【００１７】
本明細書における全ての温度は、特に断らない限り、摂氏（℃）を単位とする。特に規定がない限り、本明細書における全ての測定は、２０℃及び大気圧下で行う。
【００１８】
本開示の全ての実施形態において、全ての比率（％）は、特に記載のない限り、全組成物の重量に対するものである。別途記載のない限り、全ての比は重量比である。
【００１９】
本明細書の全体を通して記載される全ての最大数値限定は、それよりも小さい全ての数値限定を、かかるより小さい数値限定があたかも本明細書に明確に記載されているかのように包含するものと理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２０】
液体洗剤組成物
本開示は、洗剤組成物に関する。洗剤組成物は柔軟剤組成物であってもよい。この組成物は、洗濯の前処理に使用されてもよいし、洗浄サイクル中に使用されてもよい。液体洗剤組成物は、強力洗濯用洗剤であってもよい。プロクター・アンド・ギャンブル社（米国オハイオ州シンシナティ）から入手可能な強力洗濯用洗剤のブランド名の例として、ＴＩＤＥ、ＧＡＩＮ、ＡＲＩＥＬが挙げられる。
【００２１】
この洗剤組成物は液体であってもよい。液体洗剤は、約１〜約２０００センチポアズ（１〜２０００ｍＰａ・ｓ）、又は約２００〜約８００センチポアズ（２００〜８００ｍＰａ・ｓ）の粘度を有してもよい。粘度は、ブルックフィールド粘度計、２番スピンドルを使用し、６０ＲＰＭ／ｓで２５℃にて測定することができる。
【００２２】
洗剤組成物は、単位用量形態であってもよい。単位用量物品は、特定用途のための、物品内に含有される組成物の、単一で使用が容易な用量を提供することを意図している。この単位容量は、パウチ又は水溶性シートの形態であってもよい。パウチは、少なくとも１、２、又は３以上の区画を有してもよい。典型的には、洗剤成分はこの区画の内の少なくとも一つに含まれる。区画は重ねて配置される方向、即ち、これらの区画が共通の壁を共有し、一方が他方の上部に位置するように配置されてよい。少なくとも１つの区画は、別の区画と重なり合っていてもよい。あるいは、区画は並列の方向に、即ち一方が他方の隣に配向されるように位置してよい。区画は「タイヤ及びリム」配置で配向されてもよい。即ち、第１区画が第２区画の隣に配置されるが、第１区画は第２区画を少なくとも部分的に取り囲み、第２区画を完全に包囲はしない。あるいは、一方の区画が他方の区画内に完全に包囲されてもよい。
【００２３】
単位用量の形態は、区画を形成し、洗剤成分を封入する水溶性フィルムを含んでもよい。好ましいフィルム材料は、ポリマー材料である。例えば、水溶性フィルムはポリビニルアルコールを含んでもよい。フィルム材料を、当該技術分野において公知の、例えば、ポリマー材料の注型成形、吹込成形、押出成形又は吹込押出成形によって得ることができる。好適なフィルムとしては、モノソル社（米国インディアナ州名リルビル）から販売されている、商標名Ｍ８６３０、Ｍ８９００、Ｍ８７７９、Ｍ８３１０、Ｍ９４６７を含む。フィルム及び／又はそれに含まれる組成物は、摂取を抑えるために安息香酸デナトニウムなどの嫌悪剤を含んでいてもよい。
【００２４】
洗剤組成物は水を含んでよい。本組成物は、組成物の約１重量％〜約８０重量％の水を含み得る。組成物が強力液体洗剤組成物である場合、組成物は典型的には、約４０％〜約８０％の水を含む。組成物がコンパクト液体洗剤である場合、組成物は典型的には、約２０％〜約６０％、又は約３０％〜約５０％の水を含む。組成物が単位用量形態、例えば、水溶性フィルムに封入される場合、組成物は典型的には、２０％未満、又は１５％未満、又は１２％未満、又は１０％未満、又は８％未満又は５％未満の水を含む。組成物は、組成物の約１重量％〜２０重量％、又は約３重量％〜約１５重量％、又は約５重量％〜約１２重量％の水を含んでもよい。
【００２５】
界面活性剤系
本開示の洗剤組成物は、界面活性剤系を含有してもよい。驚くべきことに、界面活性剤を慎重に選択することで、布地のような表面上へのカプセル化物の付着を改善できる得ることが発見された。
【００２６】
本明細書に記載の界面活性剤系は、大部分（必ずしも全てではない）単一種の界面活性剤を含むため、比較的単純であり得る。界面活性剤系は３つあるいは２つ以下、更には１つ以下の界面活性剤を含み得る。
【００２７】
本開示の洗剤組成物は、当該洗剤組成物の約５重量％〜約６０重量％の界面活性剤系を含んでもよい。洗剤組成物は、当該洗剤組成物の約５重量％、約１０重量％、又は約１５重量％から約６０重量％、約５０重量％、約３０重量％、約２５重量％、又は約２０重量％までの界面活性剤系を含んでもよい。本明細書で使用される場合、脂肪酸及び／又はその塩類は界面活性剤系の一部とはみなされない。
【００２８】
アルコキシル化アルキルサルフェート界面活性剤
洗剤組成物は、洗浄性のアニオン性界面活性剤を含んでもよい。アニオン性界面活性剤は、アルコキシル化アルキルサルフェート界面活性剤を含んでもよい。当該アルコキシル化アルキルサルフェート界面活性剤は、界面活性剤系の主要部分として存在してもよい。本明細書で更に説明されるように、このような界面活性剤を豊富に含む洗剤は、目標面への封入体の堆積が改善されると考えられる。
【００２９】
アルコキシル化アルキルサルフェート界面活性剤は、当該界面活性剤の約８０重量％、約８５重量％、約９０重量％、約９５重量％、又は約９８重量％から約１００重量％までの濃度で当該洗剤組成物中に存在してもよい。
【００３０】
アルコキシル化アルキルサルフェート界面活性剤は、アルキルエーテルサルフェート又はアルキルポリエトキシレートサルフェートとしても既知のエトキシル化アルキルサルフェート界面活性剤を含んでもよい。エトキシル化アルキルサルフェートの例としては、水溶性塩、特に約８個〜約３０個の炭素原子を含有するアルキル基並びにスルホン酸及びその塩を分子構造の中に有する有機硫黄反応生成物のアルカリ金属塩、アンモニウム塩、及びアルキロールアンモニウム塩が挙げられる。（用語「アルキル」には、アシル基のアルキル部分が含まれる。）
【００３１】
アルキル基は、約８〜約２０の炭素原子を有してもよく、又は約１０又は約１２から約１８、約１６、又は約１４までの炭素原子を有してもよい。アニオン性アルコキシル化アルキルサルフェート界面活性剤は、アルコキシル化Ｃ１０〜Ｃ１６、好ましくはＣ１２〜Ｃ１６、より好ましくはＣ１２〜Ｃ１４のサルフェート界面活性剤を含んでもよい。
【００３２】
当該アルコキシル化アルキルサルフェート界面活性剤は、アルコキシル化アルキルサルフェートの混合物であってもよく、当該混合物は、平均（算術平均）炭素鎖長が約８〜約３０の炭素原子、約８〜約２０、約１０〜約１６、約１２〜約１６、又は約１２〜約１４の炭素原子の範囲であってもよい。
【００３３】
当該アルコキシル化アルキルサルフェート界面活性剤は、平均（算術平均）アルコキシル化度がアルコキシ基の約１モルから約５モルであってもよい。エトキシル化アルキルサルフェート界面活性剤は、約１ｍｏｌ〜約５ｍｏｌ、約１〜約４、約１〜約３、又は約１．５〜約３の平均（算術平均）エトキシル化度を有することができる。言い換えると、サルフェート界面活性剤は、約１〜約５、約１〜約４、約１〜約３、又は約１．５〜約３の平均エトキシル化度を有することができる。平均エトキシル化度は、約１．８であってもよく、又は約３であってもよい。
【００３４】
アニオン性アルコキシル化アルキルサルフェート界面活性剤は、約１．５〜約３のエトキシル化度を有するＣ１２〜Ｃ１５又はＣ１２〜Ｃ１４サルフェート界面活性剤であってもよい。
【００３５】
他の界面活性剤
当該界面活性剤系は、他の界面活性剤をその一部として含有してもよい。この他の界面活性剤は、性能に関する理由で意図的に添加されてもよく、又は他の添加材のトレース／担体成分として組成物に添加されてもよい。
【００３６】
界面活性剤系は、当該界面活性剤系の約３０重量％未満、２０重量％未満、約１５重量％未満、約１０重量％未満、約５重量％未満、又は約２重量％未満の他の界面活性剤を任意で（即ち０％）含有してもよい。界面活性剤は、アニオン性界面活性剤、非イオン性界面活性剤、カチオン性界面活性剤、双性イオン性界面活性剤、両性界面活性剤、両性電解質界面活性剤、及びそれらの混合物から選択される洗浄性界面活性剤から選択され得る。当業者であれば、洗浄性界面活性剤は、汚れた布地に洗浄、しみ除去、又は洗濯効果をもたらす、任意の界面活性剤又は界面活性剤混合物を包含することを理解するであろう。
【００３７】
アニオン性界面活性剤は、Ｃ８〜Ｃ２０の高級脂肪族アルコールの硫酸化により製造されるもの等の非アルコキシル化アルキルサルフェート界面活性剤を含んでもよい。一級アルキルサルフェート界面活性剤は、一般式：ＲＯＳＯ３−Ｍ＋を有してもよく、式中、Ｒは典型的には、直鎖Ｃ８〜Ｃ２０ヒドロカルビル基であり（この基は、直鎖であっても、分枝鎖であってもよい）、Ｍは、水溶化カチオンである。いくつかの例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。本明細書に記載の洗剤組成物は、任意で、界面活性剤系の５重量％以下の非アルコキシル化アルキルサルフェート界面活性剤を含有してもよい。
【００３８】
他のアニオン性界面活性剤は、アルキル基が約９〜約１５個の炭素原子を直鎖（線状）又は分枝鎖の構成で含有する、アルキルベンゼンスルホネートのアルカリ金属塩及び／又は（アルキロール）アミンを含んでもよい。アルキル基は、直鎖であってもよい。かかる直鎖アルキルベンゼンスルホネートは、「ＬＡＳ」として既知である。線状アルキルベンゼンスルホネートは、アルキル基中に約１１〜１４個の平均炭素原子数を有してもよい。線状直鎖アルキルベンゼンスルホネートは、アルキル基中約１１．８個の炭素原子の平均炭素原子数を有してもよく、Ｃ１１．８  ＬＡＳと略称される場合がある。本明細書に記載の洗剤組成物は、任意で、界面活性剤系の約２０重量％以下、約１０重量％以下、又は約５重量％以下のアルキルスルホネート界面活性剤、例としてアルキルベンゼンスルホネート界面活性剤、例えば直鎖アルキルベンゼンスルホネート界面活性剤を含有してもよい。
【００３９】
本明細書で有用な好適な非イオン性界面活性剤は、任意の従来の非イオン性界面活性剤を含んでもよい。これらとしては、アルコキシル化非イオン性界面活性剤及びアミンオキシド界面活性剤類が挙げられ得る。本明細書に記載の洗剤組成物は、任意で、界面活性剤系の５重量％以下の非イオン性界面活性剤を含有してもよい。
【００４０】
アルコキシル化非イオン性界面活性剤は、エトキシル化アルコール及びエトキシル化アルキルフェノール類を含んでもよい。非イオン性界面活性剤は、式Ｒ（ＯＣ２Ｈ４）ｎＯＨ（式中、Ｒは、約８〜約１５個の炭素原子を含有する脂肪族炭化水素ラジカル及びアルキル基が約８〜約１２個の炭素原子を含有するアルキルフェニルラジカルからなる群から選択され、ｎの平均値は、約５〜約１５である）であってもよい。非イオン性界面活性剤は、非イオン性アルコキシル化脂肪族アルコール界面活性剤、好ましくは非イオン性エトキシル化脂肪族アルコール界面活性剤であってもよい。非イオン性界面活性剤は、平均として約１２〜約１４の炭素原子を有し、平均のエトキシル化度がアルコールのモル当たり約７〜約９モルであってもよい。
【００４１】
本明細書で有用な、非イオン性界面活性剤の他の非限定例としては、Ｃ１２〜Ｃ１８アルキルエトキシレート（ＮＥＯＤＯＬ（登録商標）非イオン性界面活性剤（Ｓｈｅｌｌ）など）；Ｃ６〜Ｃ１２アルキルフェノールアルコキシレート（ここで、アルコキシレート単位はエチレンオキシ単位とプロピレンオキシ単位の混合物である）；Ｃ１２〜Ｃ１８アルコール、及びエチレンオキシド／プロピレンオキシドブロックポリマーとのＣ６〜Ｃ１２アルキルフェノール縮合物（Ｐｌｕｒｏｎｉｃ（登録商標）（ＢＡＳＦ）など）；Ｃ１４〜Ｃ２２中鎖分枝状アルコール；Ｃ１４〜Ｃ２２中鎖分枝状アルキルアルコキシレート（ＢＡＥｘ、式中、ｘは１〜３０である）、アルキル多糖類、アルキルポリグリコシド；ポリヒドロキシ脂肪酸アミド；エーテル末端保護されたポリ（オキシアルキル化）アルコール界面活性剤；及びこれらの混合物が挙げられる。
【００４２】
封入体
本開示の洗剤組成物は、封入体を含んでもよい。図１に概略的に示すように、封入体１０は、コア３０と、コア３０を少なくとも部分的に取り囲む壁２０とを含んでもよい。コア３０は、香料などの有益剤を含んでもよい。壁２０は外表面２５を有してもよく、外表面はコーティング４０を有してもよい。コーティングは効率ポリマーを含むことができる。これらの要素について下記により詳細に述べる。
【００４３】
本組成物は、組成物の約０．１重量％〜、又は約０．２重量％〜、又は約０．３重量％〜、又は約０．４重量％〜、又は約０．５重量％〜、約５重量％まで、又は約２．５重量％まで、又は約２重量％まで、又は約１重量％までの封入体を含むことができる。本組成物は、約０．１％〜約１％の封入体を含んでもよい。
【００４４】
封入体は壊れやすいものとすることができる。封入体の粒径は、マルバーン粒子径測定装置を使用するなどの当該技術分野では周知の一般的な方法によって測定することができる。封入体は、約１０μｍ〜約５００μｍまで、又は約２００μｍまで、又は約１００μｍまで、又は約５０μｍまで、又は約３０μｍまでの平均粒径を有することができる。複数の封入体が集合体を形成してもよい。
【００４５】
封入体は、約２〜約１０、約３〜約９、又は約４〜約８のｐＨでカチオン電荷を有することができる。
【００４６】
封入体は、少なくとも部分的にコアを包囲することができる壁を有してもよい。壁は、ポリエチレン、ポリアミド、ポリスチレン、ポリイソプレン、ポリカーボネート、ポリエステル、ポリアクリレート、アクリル、アミノプラスト、ポリオレフィン、多糖類、例えば、アルギネート及び／若しくはキトサン、ゼラチン、セラック、エポキシ樹脂、ビニルポリマー、非水溶性無機材料、シリコーン、及びこれらの混合物からなる群から選択される壁材料を含むことができる。壁材は、アミノプラスト、アクリル、アクリレート、及びこれらの混合物からなる群から選択することができる。
【００４７】
壁材はアミノプラストを含むことができる。アミノプラストは、ポリ尿素、ポリウレタン及び／又はポリウレアウレタンを含むことができる。アミノプラストは、アミノプラストコポリマー、例えば、メラミンホルムアルデヒド、尿素ホルムアルデヒド、架橋メラミンホルムアルデヒド、又はこれらの混合物を含みうる。壁材は、メラミンホルムアルデヒドを含んでもよく、壁は、下記に述べるようなコーティングを更に含んでもよい。封入体は、香料を含むコアと、メラミンホルムアルデヒド及び／又は架橋メラミンホルムアルデヒドを含む壁とを有することができる。封入体は、香料を含むコアと、メラミンホルムアルデヒド及び／又は架橋メラミンホルムアルデヒド、ポリ（アクリル酸）及びポリ（アクリル酸−ｃｏ−ブチルアクリレート）を含む壁とを有することができる。
【００４８】
封入体の外壁は、コーティングを有することができる。特定のコーティングは、布地などの対象面上への封入体の付着性を向上させることができる。封入体のコーティングと壁との重量比は、約１：２００〜約１：２、約１：１００〜約１：４、又は約１：８０〜約１：１０とすることができる。
【００４９】
コーティングは効率ポリマーを含むことができる。コポリマーは、カチオン性効率ポリマーを更に含むことができる。カチオン性ポリマーは、多糖類、カチオン変性デンプン、カチオン変性グアー、ポリシロキサン、ポリジアリルジメチルアンモニウムハライド、ポリジアリルジメチルアンモニウムクロリドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択することができる。コーティングは、ポリビニルアミン、ポリビニルホルムアミド、ポリアリルアミン、これらのコポリマー、及びこれらの混合物からなる群から選択されるポリマーを含むことができる。
【００５０】
コーティングはポリビニルホルムアミドを含むことができる。ポリビニルホルムアミドは、約５％〜約９５％、約７％〜約６０％、又は更には約１０％〜約４０％の加水分解度を有することができる。
【００５１】
効率ポリマーの１つ以上が、約１，０００Ｄａ〜約５０，０００，０００Ｄａ、約５，０００Ｄａ〜約２５，０００，０００Ｄａ、約１０，０００Ｄａ〜約１０，０００，０００Ｄａ、又は更には約３４０，０００Ｄａ〜約１，５００，０００Ｄａの平均分子質量を有することができる。効率ポリマーの１つ以上が、効率ポリマー１ｇ当たり約１ｍｅｑ〜約２３ｍｅｑ、効率的なポリマー１ｇ当たり約１．２ｍｅｑ〜１６ｍｅｑ、効率的なポリマー１ｇ当たり約２ｍｅｑ〜約１０ｍｅｑ、又は更には効率的なポリマー１ｇ当たり約１ｍｅｑ〜約４ｍｅｑの電荷密度を有することができる。
【００５２】
封入体のコアは、有益剤を含むことができる。適当な有益剤には、香料原料、シリコーンオイル、ワックス、炭化水素類、高級脂肪酸、エッセンシャルオイル、脂質、皮膚冷却剤、ビタミン、日焼け止め剤、酸化防止剤、グリセリン、触媒、漂白剤粒子、二酸化ケイ素粒子、悪臭軽減剤、臭気制御材料、キレート剤、帯電防止剤、柔軟剤、昆虫及びガ駆除剤、着色剤、酸化防止剤、キレート剤、増粘剤、ドレープ及びフォーム調整剤、平滑剤、しわ抑制剤、衛生化剤、消毒剤、細菌抑制剤、カビ抑制剤、白カビ抑制剤、抗ウィルス剤、乾燥剤、耐汚染剤、汚れ放出剤、布地リフレッシュ剤及び洗いたて感維持剤、塩素漂白臭気抑制剤、染料固定剤、染料移染防止剤、色保持剤、蛍光増白剤類、色復元／再生剤、抗退色剤、白色増強剤、抗磨耗剤、耐磨耗剤、布地一体化剤、摩耗防止剤、けば立ち防止剤、抑泡剤、消泡剤、紫外線保護剤、日褪せ阻害剤、抗アレルギー剤、酵素、防水剤、布地快適剤、耐収縮剤、耐伸剤、伸縮回復剤、スキンケア剤、グリセリン、及び天然活性物質、抗菌活性物質、制汗剤活性物質、カチオン性ポリマー、染料、並びにこれらの混合物が含まれうる。有益剤は香料原料を含むことができる。
【００５３】
封入体は、香料原料を含むコアと、メラミンホルムアルデヒド及び／又は架橋メラミンホルムアルデヒドを含む壁とを有してよく、壁は更に、壁の外表面上にコーティングを有し、コーティングはポリビニルアルコールなどの効率ポリマーを含む。
【００５４】
適当な封入体は、Ｅｎｃａｐｓｙｓ社（米国、ウイスコンシン州アップルトン）から入手することができる。洗剤組成物は、異なる封入体の混合物、例えば、異なる壁材及び／又は有益剤を有する封入体の混合物を含んでもよい。
【００５５】
本洗剤組成物は、ホルムアルデヒド捕捉剤を更に含んでもよい。このような捕捉剤は、特定の封入体、特にホルムアルデヒドを含み、かつ／又は放出する封入体において、又は封入体と使用するうえで有用でありうる。適当なホルムアルデヒドスカベンジャーには、亜硫酸水素ナトリウム、尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセタート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガラート、エチルガラート、プロピルガラート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアセトアミド、リリアル、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン、又はこれらの混合物が含まれうる。
【００５６】
外部構造化系
本開示の液体洗剤組成物は、外部構造化系を含んでもよい。構造化系は、例えば、注出するのに好適な粘度、相安定性、及び／又は懸濁能力を提供するために、十分な粘度を組成物に与えるために使用されてもよい。外部構造化系は、封入物の懸濁用に特に有用であってもよい。
【００５７】
本開示の組成物は、０．０１重量％〜５重量％、又は０．１重量％〜１重量％の外部構造化系を含んでもよい。外部構造化剤系は、以下の（ｉ）及び（ｉｉ）からなる群から選択されてもよい：
（ｉ）非高分子系結晶質のヒドロキシ官能性構造化剤及び／又は
（ｉｉ）高分子系構造化剤。
【００５８】
このような外部構造化剤系は、組成物の洗浄性界面活性剤の任意の構造化効果とは独立して、すなわちこのような効果以外により、液体洗濯洗剤組成物を安定化させるのに十分な降伏応力又は低せん断粘度を付与することができるようなものであってよい。これらは、液体洗濯洗剤組成物に２１℃、２０ｓ−１にて１〜１５００ｃｐｓの高せん断粘度、及び５０００ｃｐｓを超える低せん断粘度（２１℃、０．０５ｓ−１にて）を付与することができる。粘度は、直径４０ｍｍ及びギャップサイズ５００μｍで、平板の鋼製スピンドルを用いるＴＡ  ｉｎｓｔｒｕｍｅｎｔｓ製のＡＲ５５０レオメータを使用して測定される。２０ｓ−１での高せん断粘度、及び０．５ｓ−１での低せん断粘度は、２１℃で３分間の０．１ｓ−１〜２５ｓ−１の対数せん断速度掃引から得ることができる。
【００５９】
本組成物は、約０．０１〜約１重量％の非ポリマー結晶性ヒドロキシル官能性構造化剤を含んでもよい。このような非高分子系結晶質のヒドロキシル官能性構造化剤は、結晶化可能なグリセリドを含んでもよく、洗濯洗剤組成物の最終的な単位容量への分散を補助するためにこのグリセリドを前乳化することもできる。好適な結晶化可能なグリセリドとしては、液体洗剤組成物内で結晶化させることができるという条件で、硬化ヒマシ油又は「ＨＣＯ」又はこれらの誘導体が挙げられる。
【００６０】
本洗剤組成物は、約０．０１重量％〜５重量％の天然由来及び／又は合成の高分子構造化剤を含んでもよい。好適な天然に誘導された高分子構造化剤としては、セルロース繊維、ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。好適なセルロース繊維は、アスペクト比（長さ対幅比）が約５０〜約１００，０００、好ましくは約３００〜約１０，０００であり、鉱物繊維、発酵由来セルロース繊維、野菜、果実、種子、茎、葉等の単子葉又は双子葉由来の繊維、及び／又は木材由来セルロース繊維、及びこれらの混合物を含んでもよい。商業的に入手可能な例として、ＦＭＣのＡｖｉｃｅｌ（登録商標）、ＦｉｂｅｒｓｔａｒのＣｉｔｒｉ−Ｆｉ、ＨｅｒｂａｆｏｏｄのＨｅｂａｃｅｌ、ＣＰ  ＫｅｌｃｏのＣｅｌｌｕｌｏｎ  ＰＸが挙げられる。好適な合成高分子構造化剤としては、ポリカルボキシラート、ポリアクリレート及び疎水変性ポリアクリレート、疎水変性エトキシル化ウレタン、疎水変性非イオン性ポリオール、及びこれらの混合物が挙げられる。ポリカルボキシレートポリマーは、ポリアクリレート、ポリメタクリレート、又はこれらの混合物であってよい。ポリアクリレートは、不飽和モノ−又はジ−炭酸と、（メタ）アクリル酸のＣ１〜Ｃ３０アルキルエステルとのコポリマーであってもよい。このようなコポリマーは、商品名Ｃａｒｂｏｐｏｌ（登録商標）Ａｑｕａ  ３０でＮｏｖｅｏｎ  ｉｎｃから入手可能である。
【００６１】
脂肪酸及び／又はその塩
本開示の洗剤組成物は、脂肪酸及び／又はその塩を含んでもよい。理論に縛られるものではないが、本組成物において、脂肪酸、及び／又はその塩は、複雑な硬度イオンの洗剤組成物を形成し、洗浄及び汚れ除去に寄与し、汚れを懸濁し、泡を抑制する。しかし、本組成物では脂肪酸を必要としなくてもよく、脂肪酸濃度を最小にする、又は完全に脂肪酸を除去することが、処理上も、コストや安定性の面からも有利であり得る。
【００６２】
本組成物は、組成物の約０．１重量％、約０．５重量％、又は約１重量％から、約２０重量％、約１０重量％、約８重量％、約５重量％、約４重量％、約３重量％、又は約２重量％までの脂肪酸及び／又はその塩を含んでもよい。洗剤組成物は、脂肪酸及びその塩を実質的に含まない（又は０％含有）ものであってもよい。
【００６３】
好適な脂肪酸及びその塩には、式Ｒ１ＣＯＯＭ（式中、Ｒ１は炭素数４〜３０の一級又は二級アルキル基を示し、Ｍは水素カチオン又は他の可溶化カチオンを示す）で表されるものが挙げられる。酸の形態においては、Ｍは水素カチオンであり、塩の形態においては、Ｍは水素ではない可溶化カチオンである。酸（即ち、Ｍは水素カチオンである）が好適であるが、典型的には、塩がカチオン性ポリマーと親和性がより高いため好ましい。このため、脂肪酸又はその塩は、当該脂肪酸又はその塩のｐＫａが非水性液体組成物のｐＨ未満となるように選択されてもよい。組成物は、６〜１０．５、６．５〜９、又は７〜８のｐＨを有してもよい。
【００６４】
Ｒ１で表されるアルキル基は、様々な鎖長が混在していてもよく、飽和又は不飽和であってもよいが、Ｒ１基の少なくとも２／３は８〜１８炭素原子の鎖長を有することが好ましい。適切なアルキル基源の非限定的な例として、ヤシ油、獣脂、トール油、菜種由来油、オレイン酸、脂肪アルキルコハク酸、パーム核油、及びそれらの混合物から誘導される脂肪酸が挙げられる。但し、臭いを最小限に抑える目的で、主として飽和カルボン酸を使用することが望ましいことが多い。
【００６５】
可溶化カチオンＭ（Ｍは水素カチオンでないものとする）は、水溶性を生成物に付与する任意のカチオンであり得る。但し、１価部分が一般的に好ましい。本開示での使用に適した可溶化カチオンの例として、特に好ましいナトリウム及びカリウムなどのアルカリ金属や、モノエタノールアミン、トリエタノールアンモニウム、アンモニウム及びモルホリニウムなどのアミンが挙げられる。使用時に、脂肪酸の大部分は、中和された塩として組成物に組み込まれるべきであるが、組成物中に遊離脂肪酸を多少残すことが好ましい場合が多い。これは、特に組成物の含水率が低い場合、例えば２０％未満の場合に、組成物の粘性の維持に寄与するからである。
【００６６】
添加剤
本開示の洗剤組成物は、柔軟剤的効果を提供する添加剤のような、その他の適切な添加剤を含み得る。本開示の組成物は、１つの特定の界面活性剤が豊富な界面活性剤系を有してもよい。したがって、上述の添加剤は、洗浄効果の拡大又は他の消費者関連利益、例えば柔軟効果を提供するために特に望ましい。適切な添加剤には、酵素、増白剤、アルコキシル化ポリアルキレンイミンのような洗浄ポリマー、汚れ放出ポリマー、色相染料、及びそれらの組み合わせが含まれる。典型的な使用濃度としては、下は蛍光増白剤又は色相染料のような添加剤の組成物の０．００１重量％から、上はビルダー又は溶剤のための組成物の５０重量％までの範囲となる。好適な添加剤を、以下に更に詳細に論じる。
【００６７】
酵素
本開示の洗浄組成物は、酵素を含んでもよい。布地の洗濯の際に遊離する染料移行を防止するため、並びに布地を修復するための、タンパク質系、炭水化物系、又はトリグリセリド系のしみの基質からの除去を含む多様な目的のために、酵素を本洗浄組成物に含めてもよい。好適な酵素には、植物、動物、細菌、真菌、及び酵母起源質のような好適な起源物質からのプロテアーゼ、アミラーゼ、リパーゼ、カルボヒドラーゼ、セルラーゼ、オキシダーゼ、ペルオキシダーゼ、マンナナーゼ及びこれらの混合物が含まれる。洗浄組成物中で使用され得る他の酵素としては、ヘミセルラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルナーゼ、アラビノシダーゼ、ヒアルロナーゼ、コンドロイチナーゼ、ラッカーゼ、又はこれらの混合物が挙げられる。酵素の選択は、ｐＨ活性及び／又は安定性の最適条件、熱安定性、及び活性洗剤、ビルダーなどに対する安定性のような要因に影響される。
【００６８】
いくつかの態様では、リパーゼが含まれてもよい。特定の態様において使用され得る更なる酵素としては、マンナナーゼ、プロテアーゼ、及びセルラーゼが挙げられる。マンナナーゼ、プロテアーゼ及びセルラーゼは、Ｎｏｖｏｚｙｍｅｓ（デンマーク）により、それぞれＭａｎｎａｗａｙ、Ｓａｖｉｎａｓｅ、及びＣｅｌｌｕｃｌｅａｎの商品名で販売されている、それぞれ、１グラム当たり４ｍｇ、１５．８ｍｇ及び１５．６ｍｇの活性酵素を提供するものである。
【００６９】
いくつかの態様では、組成物は、少なくとも２つ、少なくとも３つ、又は少なくとも４つの酵素を含む。いくつかの態様では、この組成物は少なくともアミラーゼ及びプロテアーゼを含む。
【００７０】
酵素は、通常、「洗浄に有効な量」を提供するのに十分な濃度で洗浄組成物中に組み込まれる。「洗浄に有効な量」という表現は、汚染した材料、例えば、布地及び固い表面などに対して、洗浄、しみ除去、汚れ除去、増白、脱臭、又は洗いたて感の改善効果を生じることが可能な量を指す。いくつかの態様において、洗剤組成物は、本洗浄組成物の約０．０００１重量％〜約５重量％、約０．００５重量％〜約３重量％、又は約０．００１重量％〜約２重量％の活性酵素を含んでもよい。酵素は、別個の単一原料として、又は２つ以上の酵素の混合物として、加えることができる。
【００７１】
増白剤
本明細書に記載の洗剤組成物は、光学的増白剤を含んでもよい。蛍光増白剤としても知られている光学的増白剤も当該技術において知られている。本発明の洗剤組成物は、当該組成物の約０．００５重量％、又は約０．０１重量％から、約５％、約１％、又は約０．５重量％までの増白剤を含んでもよい。
【００７２】
光学的増白剤は、スチルベン、ピラゾリン、クマリン、カルボン酸、メチンシアニン、ジベンゾチオフェン−５，５−ジオキシド、アゾール、５員及び６員複素環、ベンゼン又はこれらの誘導体、及びこれらの混合物を含む化合物から選択される実質的に不溶性化合物であり得る。増白剤は、ベンゾキサゾール（benzoxozol）、ピラゾール、トリアゾール、トリアジン、イミダゾール、フラン基又はこれらの混合物を含む。
【００７３】
好適な増白剤には、二ナトリウム４，４’−ビス｛［４−アニリノ−６モルホリノ−ｓ−トリアジン−２−イル］アミノ｝−２，２’−スチルベンジスルホネート二ナトリウム４，４’−ビス−（２−スルホスチリル）ビフェニル、及び二ナトリウム４，４’−ビス［｛４，６−ジ−アニリノ−ｓ−トリアジン−２−イル］−アミノ｝−２，２’スチルベンジスルホネートが挙げられる。商業的に利用可能な増白剤には、ＢＡＳＦから入手可能なＢｒｉｇｈｔｅｎｅｒ  １５、Ｂｒｉｇｈｔｅｎｅｒ  ３６、及びＢｒｉｇｈｔｅｎｅｒ  ４９が挙げられる。
【００７４】
洗浄ポリマー
組成物は、洗浄ポリマーを含んでもよい。例えば、洗剤組成物は、布地及び表面からグリース粒子を除去するように、親水性と疎水性が釣り合っていてもよい両親媒性アルコキシル化グリース洗浄ポリマーを含んでもよい。両親媒性アルコキシル化グリース洗浄ポリマーは、コア構造及びそのコア構造に結合した複数のアルコキシレート基（alkoxylate group）を含んでもよい。これらは、例えばアルコキシル化ポリアルキレンイミンを含んでもよい。このような化合物としては、エトキシル化ポリエチレンイミン、エトキシル化ヘキサメチレンジアミン、及びこれらを硫酸化したものが挙げられるが、これらに限定されない。ポリプロポキシル化誘導体も包含させることができる。多種多様なアミン及びポリアルキレンイミンを様々な程度にアルコキシル化することができる。有用な例としては、ＮＨ当たり２０ＥＯ基までエトキシル化されている６００ｇ／モルのポリエチレンイミンコアがあり、ＢＡＳＦより入手可能である。アルコキシル化ポリアルキレンイミンは、内側ポリエチレンオキシドブロック及び外側ポリプロピレンオキシドブロックを含んでいてもよい。本明細書に記載の洗剤組成物は、洗剤組成物の約０．１重量％〜約１０重量％、いくつかの例では、約０．１重量％〜約８重量％、他の例では、約０．１重量％〜約６重量％のアルコキシル化ポリアミンを含み得る。
【００７５】
汚れ放出ポリマー（ＳＲＰ）
本開示の洗剤組成物は、汚れ放出ポリマーを含有してもよい。いくつかの態様では、洗剤組成物は、以下の構造（Ｉ）、（ＩＩ）、又は（ＩＩＩ）のうちの１つにより定義される構造を有する１つ以上の汚れ放出ポリマーを含んでもよく、
（Ｉ）        −［（ＯＣＨＲ１−ＣＨＲ２）ａ−Ｏ−ＯＣ−Ａｒ−ＣＯ−］ｄ
（ＩＩ）      −［（ＯＣＨＲ３−ＣＨＲ４）ｂ−Ｏ−ＯＣ−ｓＡｒ−ＣＯ−］ｅ
（ＩＩＩ）    −［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅにより置換された１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの混合物であり；
Ｒ１、Ｒ２、Ｒ３、Ｒ４、Ｒ５、及びＲ６は、独立して、Ｈ又はＣ１〜Ｃ１８  ｎ−若しくはイソ−アルキルから選択され、
Ｒ７は、直鎖状若しくは分枝状Ｃ１〜Ｃ１８アルキル、又は直鎖状若しくは分枝状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である。
【００７６】
好適な汚れ遊離ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ遊離ポリマーである。他の好適な汚れ遊離ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ遊離ポリマーは、Ｍａｒｌｏｑｕｅｓｔポリマー（例えば、Ｓａｓｏｌにより供給されているＭａｒｌｏｑｕｅｓｔ  ＳＬなど）である。
【００７７】
アミン
本明細書に記載の洗浄組成物は、アミンを含んでもよい。アミンの非限定例としては、以下に限定されないが、エーテルアミン、環状アミン、ポリアミン、オリゴアミン（例えばトリアミン、ジアミン、ペンタアミン、テトラアミン）、又はそれらの組み合わせが挙げられる。本明細書に記載の組成物は、オリゴアミン、エーテルアミン、環状アミン類、及びこれらの組み合わせからなる群から選択されたアミンを含んでもよい。
【００７８】
洗浄組成物は、組成物の約０．１重量％〜約１０重量％、約０．２重量％〜約５重量％、約０．５重量％〜約４重量％、約０．１重量％〜約４重量％、又は約０．１重量％〜約２重量％のアミンを含んでもよい。当該アミンは、それが使用される洗浄媒体のｐＨに依存してプロトン化に供され得る。
【００７９】
好適なオリゴアミンの例としては、テトラエチレンペンタミン、トリエチレンテトラアミン、ジエチレントリアミン、及びこれらの混合物が挙げられる。エーテルアミン及び環状アミンは、以下でより詳細に説明する。
【００８０】
好適なエーテルアミンは、式（Ａ）で表されてもよい：
【００８１】
【化１】
2019515098.tif 000003
式中、各Ｒ基は、独立して、Ｈ、メチル基、及びエチル基からなる群から選択され、少なくとも１つのＲ基はメチル基であり、ｘは約２〜約３００の範囲である。ｘは、平均繰り返し単位又はポリマーを構成する基本ビルディングブロック数を示す。ｘは整数でも分数でもよい。ｘは、約２〜約２０、又は約２〜約１０の範囲であり得る。
【００８２】
好適なエーテルアミンは、式（Ｉ）で表されてもよい：
【００８３】
【化２】
2019515098.tif 000004
（式中、Ｒ１〜Ｒ６のそれぞれは、独立して、Ｈ、アルキル、シクロアルキル、アリール、アルキルアリール、又はアリールアルキルから選択され、Ｒ１〜Ｒ６のうちの少なくとも１つはＨとは異なり、典型的には、Ｒ１〜Ｒ６のうちの少なくとも１つは、２〜８個の炭素原子を有するアルキル基であり、Ａ１〜Ａ６のそれぞれは、独立して、２〜１８個の炭素原子を有する直鎖又は分枝鎖のアルキレンから選択され、Ｚ１〜Ｚ２のそれぞれは、独立して、ＯＨ又はＮＨ２から選択され、Ｚ１〜Ｚ２のうちの少なくとも１つは、ＮＨ２であり、典型的には、Ｚ１及びＺ２のそれぞれはＮＨ２であり、ｘ＋ｙの合計は、約２〜約２００、約２〜約２０、約２〜約１０、約２〜約８、約３〜約８、又は約４〜約６の範囲内であり、ｘ≧１かつｙ≧１であり、ｘ１＋ｙ１の合計は、約２〜約２００、約２〜約２０、約２〜約１０、約２〜約８、約３〜約８、又は約２〜約４の範囲内であり、ｘ１≧１かつｙ１≧１である）。
【００８４】
式（Ｉ）のエーテルアミンに関して、Ａ１〜Ａ６は、各々独立して、エチレン、プロピレン、又はブチレンから選択されてよく、典型的にはＡ１〜Ａ６は各々プロピレンであってもよい。Ａ１及びＡ６の各々は、独立して、２〜１８個の炭素原子、２〜１０個の炭素原子、又は２〜５個の炭素原子を有する直鎖アルカンジイル基から選択されてもよく、各Ａ２、Ａ３、Ａ４、Ａ５は、２〜１８個の炭素原子、２〜１０個の炭素原子、又は２〜５個の炭素原子を有する直鎖又は分枝鎖のアルカンジイル基から独立して選択されてもよい。式（Ｉ）のエーテルアミンに関して、Ｒ１、Ｒ２、Ｒ５、及びＲ６は各々Ｈであってもよく、Ｒ３及びＲ４は各々独立してＣ１〜Ｃ１６アルキル又はアリールから選択されてもよく、Ｒ１、Ｒ２、Ｒ５、及びＲ６は各々Ｈであってもよく、Ｒ３及びＲ４は各々独立して、ブチル基、エチル基、メチル基、プロピル基、又はフェニル基から選択されてよい。式（Ｉ）のエーテルアミンに関して、Ｒ３はエチル基であってもよく、Ｒ１、Ｒ２、Ｒ５、及びＲ６は各々Ｈであってよく、並びにＲ４はブチル基であってよい。式（Ｉ）のエーテルアミンに関して、Ｒ１及びＲ２は各々Ｈであってよく、Ｒ３、Ｒ４、Ｒ５、及びＲ６は各々独立して、エチル基、メチル基、プロピル基、ブチル基、フェニル基、又はＨから選択されてよい。
【００８５】
好適なエーテルアミンは、式（ＩＩ）で表されてもよい。
【００８６】
【化３】
2019515098.tif 000005
Ｒ７〜Ｒ１２のそれぞれは、独立して、Ｈ、アルキル、シクロアルキル、アリール、アルキルアリール、又はアリールアルキルから選択され、Ｒ７〜Ｒ１２のうちの少なくとも１つはＨとは異なり、典型的には、Ｒ７〜Ｒ１２のうちの少なくとも１つは、２〜８個の炭素原子を有するアルキル基であり、Ａ７〜Ａ９のそれぞれは、独立して、２〜１８個の炭素原子を有する直鎖又は分枝鎖のアルキレンから選択され、Ｚ３〜Ｚ４のそれぞれは、独立して、ＯＨ又はＮＨ２から選択され、Ｚ３〜Ｚ４のうちの少なくとも１つは、ＮＨ２であり、典型的には、Ｚ３及びＺ４のそれぞれはＮＨ２であり、ｘ＋ｙの合計は、約２〜約２００、約２〜約２０、約２〜約１０、約２〜約８、約３〜約８、又は約２〜約４の範囲内であり、ｘ≧１かつｙ≧１であり、ｘ１＋ｙ１の合計は、約２〜約２００、約２〜約２０、約２〜約１０、約２〜約８、約３〜約８、又は約２〜約４の範囲内であり、ｘ１≧１かつｙ１≧１である。
【００８７】
式（ＩＩ）のエーテルアミンに関して、Ａ７〜Ａ９は、各々独立して、エチレン、プロピレン、又はブチレンから選択されてもよく、典型的には、Ａ７〜Ａ９は各々プロピレンであってもよい。Ａ９は、２〜１８個の炭素原子、２〜１０個の炭素原子、又は２〜５個の炭素原子を有する直鎖アルカンジイル基から選択されてもよい。各Ａ７、Ａ８は、２〜１８個の炭素原子、２〜１０個の炭素原子、又は２〜５個の炭素原子を有する直鎖又は分枝鎖のアルカンジイル基から独立して選択されてもよい。式（ＩＩ）のエーテルアミンに関して、Ｒ７、Ｒ８、Ｒ１１、及びＲ１２は各々Ｈであってもよく、Ｒ９及びＲ１０は各々独立してＣ１〜Ｃ１６アルキル又はアリールから選択されてもよく、Ｒ７、Ｒ８、Ｒ１１、及びＲ１２は各々Ｈであってよく、Ｒ９及びＲ１０は各々独立して、ブチル基、エチル基、メチル基、プロピル基、又はフェニル基から選択されてもよい。式（ＩＩ）のエーテルアミンに関して、Ｒ９はエチル基であってもよく、Ｒ７、Ｒ８、Ｒ１１、及びＲ１２は各々Ｈであってもよく、並びにＲ１０はブチル基であってもよい。式（ＩＩ）のエーテルアミンに関して、Ｒ７及びＲ８は各々Ｈであってよく、Ｒ９、Ｒ１０、Ｒ１１、及びＲ１２は各々独立して、エチル基、メチル基、プロピル基、ブチル基、フェニル基、又はＨから選択されてよい。
【００８８】
好適なエーテルアミンは、更にＵＳ２０１４／０２９６１２７Ａ１及びＵＳ２０１５／００５７２１２Ａ１に記載されている。
【００８９】
好適な環状アミンは、式（Ｂ）で表されてもよい：
【００９０】
【化４】
2019515098.tif 000006
【００９１】
置換基「Ｒ」は独立して、ＮＨ２、Ｈ、及び１〜１０個の炭素原子の直鎖、分枝鎖アルキル又はアルケニルから選択され得る。本発明の目的のため、「Ｒ」は、Ｒ１〜Ｒ５を含む。「Ｒ」のうちの少なくとも１つは、ＮＨ２である必要がある。残りの「Ｒ」は独立して、ＮＨ２、Ｈ、及び１〜１０個の炭素原子を有する直鎖、分枝鎖アルキル又はアルケニルから選択され得る。ｎは０〜３であり、又はｎは１である。
【００９２】
色相剤
組成物は、布地色相剤（色合い剤、青味剤、又は白化剤と称される場合もある）を含み得る。典型的には、色相剤は、布地に青又は紫の色合いをもたらす。色相剤は、単独又は組み合わせのいずれかで使用して、特定の色相の色合いを作り出し、かつ／又は異なるタイプの布地に色合いをつけることができる。これは、例えば赤と緑−青の染料とを混合して青又は紫の色合いを生じさせることにより提供され得る。色相剤は、任意の既知の化学的部類の染料から選択されてよく、これには、アクリジン、アントラキノン（多環式キノンを含む）、アジン、予め金属化されたアゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【００９３】
他の添加剤
本明細書に記載の組成物は、洗濯処理に適していてもよい他の添加材料を含んでいてもよい。好適な添加剤には、ビルダー、キレート剤、染料移染防止剤、分散剤、酵素安定剤、触媒材料、漂白剤、漂白触媒、漂白活性剤、高分子系分散剤、汚れ除去／再付着防止剤、例えばＰＥＩ６００ＥＯ２０（例えばＢＡＳＦ）、高分子汚れ放出剤、高分子分散剤、高分子グリース洗浄剤、増白剤、泡抑制剤、染料、香料、構造弾性化剤、布地柔軟剤、担体、充填剤、ヒドロトロープ、有機溶媒、抗菌剤及び／又は保存剤、中和物及び／又はｐＨ調整剤、処理助剤、乳白剤、真珠光沢剤、色素、又はこれらの混合物が挙げられる。
【００９４】
本開示の洗剤組成物は、カチオン性堆積助剤ポリマーを含んでもよい。カチオン性堆積助剤ポリマーは、目標表面への成分の付着を促進するため、洗剤組成物中に使用される場合がある。堆積助剤ポリマーは、非多糖類ポリマーであってもよい。堆積助剤ポリマーは、比較的低い重量平均分子量、例えば約５ｋＤａ、約１０ｋＤａ、又は約１５ｋＤａから、約２００ｋＤａ、約１５０ｋＤａ、約１００ｋＤａ、約７５ｋＤａ、約５０ｋＤａ、約３５ｋＤａ、又は約２５ｋＤａまでの範囲であってもよい。重量平均分子量は、製造者の指示に従って使用される、差屈折率検出（ＲＩ）を用いたサイズ排除クロマトグラフィー（ＳＥＣ）によって決定される。堆積助剤ポリマーは、カチオン性モノマー単位を含んでよい。カチオン性モノマー単位は、例えば、ジアリルジメチルアンモニウム塩（ＤＡＤＭＡＳ）、アクリルアミドプロピルトリメチルアンモニウム塩（ＡＰＴＡＳ）、メタクリルアミドプロピルトリメチルアンモニウム塩（ＭＡＰＴＡＳ）、四級化ビニルイミダゾール（ＱＶｉ）、及びそれらの混合物から誘導される。当該モノマー単位の塩は、塩化物塩（例えば、ＤＡＤＭＡＣ）であってもよい。上記ポリマーには、約５０モル％、約６０モル％、約７０モル％、又は約７５モル％から、約１００モル％、約９５モル％、約９０モル％、又は約８５モル％までの濃度で、カチオン性構造単位が含まれてもよい。堆積助剤ポリマーは、アクリルアミド及び／又はメタアクリルアミド（共に「（メタ）アクリルアミド」）に由来するモノマー単位等の非イオン性モノマー単位を含むことができる。ポリマーにおいて、非イオン性構造単位が、約０モル％、約５モル％、約１０モル％、又は約１５モル％から、約５０モル％、約４０モル％、又は約３０モル％までの濃度で存在してもよい。堆積助剤ポリマーは、アニオン性モノマー単位を更に含んでいてもよい。当該堆積助剤は、（メタ）アクリルアミドとＤＡＤＭＡＣとを含むカチオン性コポリマーであってもよい。
【００９５】
界面活性剤系は例えば封入体の堆積を促進するように注意深く選択されており、本明細書に記載の洗剤組成物は、封入体のコーティングの一部であるカチオン性ポリマーを除いて、任意で、カチオン性堆積助剤ポリマーを０．１％以下だけ含有してもよい。本明細書に記載の洗剤組成物は、カチオン性付着助剤ポリマーを実質的に含まない（０％含有する）ものであってもよい。明快にするため、封入体のコーティングの一部であるカチオン性ポリマーは、カチオン性付着助剤ポリマーの量の計算には含めない。このような堆積補助ポリマーは、カチオン性多糖類、例えば、カチオン性ヒドロキシエチルセルロース、又はジアリルジメチルアンモニウム塩（ＤＡＤＭＡＳ）、アクリルアミドプロピルトリメチルアンモニウム塩（ＡＰＴＡＳ）、メタアクリルアミドプロピルトリメチルアンモニウム塩（ＭＡＰＴＡＳ）、四級化ビニルイミダゾール（ＱＶｉ）、及びこれらの混合物から誘導されるカチオン性モノマー単位等のカチオン性モノマー単位を含むカチオン性合成ポリマーを含んでもよい。ここで、カチオン堆積助剤ポリマーは、（アルコキシル化）ポリエチレンイミンポリマーのような洗浄ポリマーを含まない。
【００９６】
本明細書に記載の洗剤組成物は、当該組成物の約０．１重量％〜約１０重量％、又は約１重量％〜約５重量％の、アミノシリコーン等のシリコーンを含んでもよい。このようなシリコーン類は、布地に質感ややわらかさを与えてもよい。しかし、シリコーン類は、布地の洗浄及び／又は白色度の損失にも寄与し得る。したがって、洗剤組成物は、アミノシリコーン等のシリコーンを実質的に含まない（例えば０．３％未満、０．１％未満、０．０１％未満、更には０％含有）ものであってもよい。シリコーン類は泡抑制剤として洗剤中に存在してもよい。このため、洗剤には低濃度のシリコーン類を含んでもよく、この濃度は少なくとも消泡効果を提供するに十分であり、且つ消費者が感知するほどの柔軟効果を提供するには十分でない程度の濃度である。洗剤製造業者は、シリコーン類を含むか排除するかを、所望の効果に応じて選択してもよい。
【００９７】
洗剤組成物を作製する方法
本開示の洗剤組成物は、バッチ又は連続したループの処理を含む従来の方法によって作製されてもよい。外部構造化系を使用した場合、当該外部構造化系は、封入体が添加された後のベース洗剤に添加されて、その後混合されてもよい。
【００９８】
洗剤組成物の使用方法
本開示は、布地のような表面を前処理又は処理する方法であって、この方法は、表面（例えば、布地）と、本明細書に記載の洗剤組成物とを接触させる工程を含む。接触工程は、水の存在下で起こってよく、水と洗剤組成物とは、洗浄液を形成する。接触は洗浄工程において発生してもよく、水は、接触工程前、中、又は後に添加して、洗浄溶液を形成してもよい。
【００９９】
洗浄工程に続いてすすぎ工程を行ってもよい。すすぎ工程中に、布地は布地柔軟化組成物に接触してもよい。当該布地柔軟化組成物は布地柔軟化活性剤を含んでもよい。本明細書に記載の当該方法の布地柔軟化活性剤は、四級アンモニウム組成物、シリコーン、脂肪酸又はエステル類、糖類、脂肪族アルコール、アルコキシル化脂肪族アルコール、ポリグリセリンエステル類、油性糖誘導体、ワックスのエマルジョン、脂肪酸グリセリド、又はこれらの混合物を含んでもよい。好適な市販の布地柔軟剤を使用できる。柔軟剤としては、商品名ＤＯＷＮＹ（登録商標）、ＬＥＮＯＲ（登録商標）（いずれもプロクター・アンド・ギャンブル社から入手可能）、及びＳＮＵＧＧＬＥ（登録商標）（サン・プロダクツ社から入手可能）が挙げられる。布地に布地柔軟組成物を接触させる工程は、水の存在下において実行され得る。例えば、自動洗濯機のすすぎサイクル中に実行できる。
【０１００】
任意の好適な洗濯機を用いてもよく、例えば、トップローディング又はフロントローディング自動洗濯機を使用できる。当業者は、関連の洗浄作業に好適な洗濯機を認識するであろう。本開示の組成物は、布地用添加剤、布地柔軟剤、すすぎ補助剤等の他の組成物と組み合わせて使用してもよい。
【０１０１】
また、本開示の洗剤組成物を公知の方法に用いて、手で表面処理／洗浄してもよい。
【０１０２】
組み合わせ
本開示の具体的に想到される組み合わせを、ここで以下のアルファベットを付した段落に記載する。これらの組み合わせは、事実上例示的なものであり、制限的であることを意図したものではない。
【０１０３】
Ａ．液体洗剤組成物であって、当該洗剤組成物の約５〜６０重量％の界面活性剤系を含む液体洗剤組成物であって、当該界面活性剤系は、当該界面活性剤系の約７０重量％〜１００重量％の濃度で存在するアニオン性アルコキシル化アルキルサルフェート界面活性剤を含み、当該組成物は、当該組成物の約０．１重量％〜約５重量％の封入体を更に含み、当該封入体は、コアと、当該コアを少なくとも部分的に取り囲む壁とを含み、当該コアは有益剤を含み、当該壁は当該壁の外表面上にコーティングを含む、液体洗剤組成物。
Ｂ．当該組成物は、当該洗剤組成物の約８重量％又は約１０重量％〜約３０重量％、約１５重量％〜約２５重量％、又は約１５重量％〜約２０重量％の界面活性剤系を含む、段落Ｂに記載の洗剤組成物。
Ｃ．当該組成物は、当該界面活性剤系の約７５重量％〜約１００重量％、約８０重量％〜約１００重量％、又は約８５重量％〜約９５重量％のアニオン性アルコキシル化アルキルサルフェート界面活性剤を含む、段落Ａ又はＢに記載の洗剤組成物。
Ｄ．当該アニオン性アルコキシル化アルキルサルフェート界面活性剤は、アニオン性エトキシル化アルキルサルフェート界面活性剤を含む、段落ＡからＣのいずれかに記載の洗剤組成物。
Ｅ．当該アニオン性エトキシル化アルキルサルフェート界面活性剤は、約１〜約５、好ましくは約１〜約３の平均エトキシル化度を有する、段落ＡからＤのいずれかに記載の洗剤組成物。
Ｆ．当該アニオン性アルコキシル化アルキルサルフェート界面活性剤は、アルコキシル化Ｃ１０〜Ｃ１６、好ましくはＣ１２〜Ｃ１６、より好ましくはＣ１２〜Ｃ１４のサルフェート界面活性剤を含む、段落ＡからＥのいずれかに記載の洗剤組成物。
Ｇ．当該界面活性剤系は、当該界面活性剤系の約７４重量％〜１００重量％の当該アニオン性アルコキシル化アルキルサルフェート界面活性剤を含む、段落ＡからＦのいずれかに記載の洗剤組成物。
Ｈ．当該界面活性剤系は、任意で、当該界面活性剤系の２０重量％以下のアルキルスルホネート界面活性剤、好ましくはアルキルベンゼンスルホネート界面活性剤、より好ましくは直鎖アルキルベンゼンスルホネート界面活性剤を含む、段落ＡからＧのいずれかに記載の洗剤組成物。
Ｉ．当該界面活性剤系は、任意で、当該界面活性剤系の５重量％以下の非イオン性界面活性剤、好ましくは非イオン性アルコキシル化脂肪族アルコール界面活性剤、より好ましくは非イオン性エトキシル化脂肪族アルコール界面活性剤を含む、段落ＡからＨのいずれかに記載の洗剤組成物。
Ｊ．当該組成物は、約０．１％〜約１％の当該封入体を含む、段落ＡからＩのいずれかに記載の洗剤組成物。
Ｋ．当該有益剤は香料原料を含む、段落ＡからＪのいずれかに記載の洗剤組成物。
Ｌ．当該コーティングは、カチオン性効率ポリマー、好ましくは、多糖類、カチオン変性デンプン、カチオン変性グアー、ポリシロキサン、ポリジアリルジメチルアンモニウムハライド、ポリジアリルジメチルアンモニウムクロリドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択されるカチオン性効率ポリマーを含む、段落ＡからＫのいずれかに記載の洗剤組成物。
Ｍ．当該コーティングは、ポリビニルアミン、ポリビニルホルムアミド、ポリアリルアミン、これらのコポリマー、及びこれらの混合物、好ましくはポリビニルホルムアミドから選択されるカチオン性効率ポリマーを含む、段落ＡからＬのいずれかに記載の洗剤組成物。
Ｎ．当該壁は、アミノプラストコポリマー、アクリル、アクリレート、及びこれらの混合物からなる群から選択される壁材料を含む、段落ＡからＭのいずれかに記載の洗剤組成物。
Ｏ．当該壁材料は、アミノプラストコポリマー、好ましくはメラミンホルムアルデヒド、尿素ホルムアルデヒド、架橋メラミンホルムアルデヒド、又はこれらの混合物から選択されるアミノプラストコポリマーを含む、段落ＡからＮのいずれかに記載の洗剤組成物。
Ｐ．当該組成物は、外部構造化剤を更に含む、段落ＡからＯのいずれかに記載の洗剤組成物。
Ｑ．当該組成物は、脂肪酸又はその塩を更に含む、段落ＡからＰのいずれかに記載の洗剤組成物。
Ｒ．当該組成物は、酵素、増白剤、洗浄ポリマー、アミン、色相染料、又はこれらの組み合わせから選択される添加剤を更に含む、段落ＡからＱのいずれかに記載の洗剤組成物。
Ｓ．布地を処理する方法であって、当該方法が、段落ＡからＲのいずれかに記載の洗剤組成物に布地を接触させる工程を含む、方法。
【０１０４】
試験方法
布地の処理方法
カプセル化堆積及びヘッドスペースを試験する前に、試験布地を作製し、以下に記載する手順の１つに従って処理する。布地は、存在し得る（以下のＡに従う）、任意の製造業者による仕上げの「脱糊」及び／又は「剥離」、乾燥を行い、次いで、トップローディングマシン又はフロントローディングマシンのいずれかで、洗剤組成物（以下のＢ１またはＢ２による）により処理される。
【０１０５】
Ａ．布地の脱糊方法ゼロ粒水を用いて、Ｋｅｎｍｏｒｅ  ８０シリーズのようなトップローディング洗濯機で、４９℃（１２０Ｆ）で洗いサイクルを２回行うことで、新布地を脱糊する。全ての布地は第２サイクル後、Ｋｅｎｍｏｒｅシリーズの乾燥機でコットン／ハイ設定で４５分間タンブル乾燥させる。
【０１０６】
Ｂ１．トップローディング式洗濯機における布地の処理方法脱糊された布地をＮａｔｉｏｎａｌ  ＮＡ−ＦＶ８１００トップローディング洗濯機で標準洗濯設定により、洗剤組成物を使用して処理する。当該洗濯機は、充填量４９Ｌで、１２分間の洗濯サイクルを１回、すすぎサイクルを２回行い、脱水サイクルを１から３分実行する。２７℃（８１Ｆ）の水を洗いすすぎのサイクルのいずれにも使用する。１ガロンの水当たり６グレーンを使用して、洗い及びすすぎサイクルを行う。洗いサイクルの最初に水を充填した後、洗剤組成物（５２．５ｇ）を洗濯機ドラムに添加する。その後、脱糊済みの１００％コットンテリータオル（３０．５ｃｍ×３０．５ｃｍ、ＲＮ３７０００ＩＴＬ−Ｃａｌｄｅｒｏｎ  Ｔｅｘｔｉｌｅｓ，ＬＬＣ（４６２７８、インディアナ州インディアナポリス８０ｔｈ  Ｓｔ  ６１３１  Ｗ）から入手可能）を２．９ｋｇ、水を張った洗濯機のドラム内に投入した。処理済みの布地を一定の温度及び湿度の部屋で５０％ＲＨ及び２１℃（７０Ｆ）で２２〜２６時間乾燥させた。
【０１０７】
Ｂ２．フロントローディング機における布地の処理方法Ｗｈｉｒｌｐｏｏｌ  Ｄｕｅｔ  Ｍｏｄｅｌ  ９２００（米国ミシガン州Ｂｅｎｔｏｎ  Ｈａｒｂｏｒ  Ｗｈｉｒｌｐｏｏｌ）等のフロントローディング洗濯機の洗いサイクルに洗剤組成物を注入することで脱糊した布地を本開示の組成物で処理した。洗濯機の投入口に洗剤組成物（６１．５ｇ）を添加し、脱糊済みの１００％コットンテリータオル（３２ｃｍ×３２ｃｍ、ＲＮ３７００２ＬＬ−Ｃａｌｄｅｒｏｎ  Ｔｅｘｔｉｌｅｓから入手可能）を３．６ｋｇ、洗濯機のドラム内に投入した。１８．９Ｌの水と、１２０ｍｇ／Ｌ炭酸カルシウム当量、及び洗い温度３２℃、すすぎ温度１６℃の標準サイクルを使用して、洗剤組成物により脱糊済の布地を処理した。処理された布地は、コットン／ハイ設定で、Ｋｅｎｍｏｒｅシリーズ乾燥機のような標準的な米国製タンブル乾燥機で４５分間乾燥させた。
【０１０８】
布地ヘッドスペース分析方法
下記に記載の固相マイクロ抽出ガスクロマトグラフィー質量分析法（ＳＰＭＥ  ＧＣ  ＭＳ）を用いて布地ヘッドスペース分析を行う。通常、布地上の香料の封入体の濃度が高ければ、香料の強度（ヘッドスペース分析により測定）が高くなるという相関関係がある。上述の布地作成方法に従って作成及び処理された処理済みの１００％コットンテリータオル（３０．５ｃｍ×３０．５ｃｍ、ＲＮ３７０００ＩＴＬ−Ｃａｌｄｅｒｏｎ  Ｔｅｘｔｉｌｅｓ，ＬＬＣ（米国インディアナ州インディアナポリス）から入手可能）に対して、香料封入体ヘッドスペース分析を実行する。
【０１０９】
ヘッドスペース分析は、合計１２個の布地（２つの異なる洗いサイクルでそれぞれ６個ずつ処理済み布地が得られた）に対して行われる。各処理済み布地は、１０個の直径１．４ｃｍの円形試験体に、空気入りプレス金型（オハイオ州シンシナチ、Ｍａｎｕｆａｃｔｕｒｉｎｇ  Ｓｕｐｐｌｉｅｒｓ  Ｓｅｒｖｉｃｅｓから入手可能なＡｔｏｍ  Ｃｌｉｃｋｅｒ  Ｐｒｅｓｓ  ＳＥ２０Ｃ）で切断した。１０個の試験体を、２０ｍＬのヘッドスペースサンプルバイアル（＃２４６９４、ＰＡ、Ｂｅｌｌｅｆｏｎｔｅ、Ｒｅｓｔｅｋから入手可能）に入れ、重量を記録（１０個の１．４ｃｍ円は約０．７０ｇから約０．０７ｇ程度）し、バイアルをキャップする（＃０９３６４０−０９４−００、ＭＤ、Ｌｉｎｔｈｉｃｕｍ、Ｇｅｒｓｔｅｌから入手可能）。
【０１１０】
サンプルバイアルをその後Ｇｅｒｓｔｅｌ  ＭＰＳ２オートサンプラに搭載する（米国ＭＤ  Ｌｉｎｔｈｉｃｕｍ、Ｇｅｒｓｔｅｌ社）。ヘッドスペースの分析前に、それぞれのサンプルを６５℃で１０分間事前調整する。ヘッドスペースは、Ｓｕｐｅｌｃｏ  ５０／３０マイクロメータＤＶＢ／ＣＡＲ／ＰＤＭＳ  ２３Ｇａ固相マイクロ抽出繊維（米国ＰＡ、Ｂｅｌｌｅｆｏｎｔｅ、Ｓｕｐｅｌｃｏ  Ｉｎｃ．）を備えるＡｇｉｌｅｎｔ  ７８９０Ｂ／５９７７Ａ  ＧＣ−ＭＳシステム（米国ＣＡ  Ｓａｎｔａ  Ｃｌａｒａ，Ａｇｉｌｅｎｔ  Ｔｅｃｈｎｏｌｏｇｉｅｓ）に抽出される。無極毛管カラム（ＤＢ−５ＭＳ  ＵＩ、３０メートル（名目直径）、０．２５ｍｍ（名目直径）、厚さ２５マイクロメートル）のＧＣ分析を行い、質量分析法（ＥＩ、１Ｅ−１７Ｊ７０ｅＶ検出器）によってヘッドスペース成分（すなわち香料原材料）をモニタリングする。香料原料のシングルポイントキャリブレーションを利用してヘッドスペース強度を算出する。各検出された香料原料の濃度の合計から各バイアルの合計ヘッドスペース濃度が計算される。１２個の処理対象布地に対して、ヘッドスペースの平均をとる。ヘッドスペースの向上は、基準処理に対して判定されてもよい。
【０１１１】
封入体堆積方法
処理済み布地に堆積した封入体の量を判定するには、封入体から香料を抽出する必要がある。香料マイクロカプセルは、促進溶媒抽出機（Ｄｉｏｎｅｘ  ＡＳＥ  ３５０）（米国ＣＡ，Ｓｕｎｎｙｖａｌｅ，Ｔｈｅｒｍｏ  Ｓｃｉｅｎｔｉｆｉｃ）を用いて抽出され、次に、下記のＧＣ  ＭＳ定量化が実行される。上述のヘッドスペース方法により分析された２つの布地を、ヘッドスペースバイアルから取り出し、合計質量約１．４ｇ（±０．１４ｇ）を、５ｍＬのステンレス鋼抽出セル（＃２５９９７、＃２５９９４、Ｐａ、Ｂｅｌｌｅｆｏｎｔｅ、Ｒｅｓｔｅｋから入手可能）に配置する。
【０１１２】
公知の香料混合物を公知の量使用して同質量の布地をスパイクし、多点校正を実現するように分析する。封入抽出セルにおいて、香料は、処理済み布地から抽出される。具体的には、メタノール（６ｍＬ）、熱（１２５℃）を利用するＤｉｏｎｅｘ  ＡＳＥ  ３５０（米国ＣＡ，Ｓｕｎｎｙｖａｌｅ，Ｔｈｅｒｍｏ  Ｓｃｉｅｎｔｉｆｉｃ）による方法で１５分間の抽出を行う。１５分後、窒素で溶媒をセルから、揮発性有機分析（ＶＯＡ）バイアル（＃１２−１００−１０２、米国ＰＡ、Ｐｉｔｔｓｂｕｒｇｈ、Ｆｉｓｈｅｒ  Ｓｃｉｅｎｔｉｆｉｃから入手可能）にパージする。ＶＯＡバイアルに収集されたメタノールの５００マイクロリットルアリコットを、２０ｍｌヘッドスペースバイアル（＃２４６９４、ＰＡ、Ｂｅｌｌｅｆｏｎｔｅ、Ｒｅｓｔｅｋから入手可能）内の脱イオン水溶液（５ｍｌ全溶液）中の４．５ｍＬの１０％  ＮａＣｌに添加する。
【０１１３】
次いで、５ｍｌの溶液を含むサンプルバイアルを、Ｇｅｒｓｔｅｌ  ＭＰＳ２オートサンプラ（米国ＭＤ、Ｌｉｎｔｈｉｃｕｍ、Ｇｅｒｓｔｅｌ  Ｉｎｃ．）に装填する。ヘッドスペースの分析前に、それぞれのサンプルを６５℃で１０分間事前調整する。ヘッドスペースを、Ｓｕｐｅｌｃｏ１００マイクロメータＰＤＭＳ  ２３Ｇａ固相マイクロ抽出繊維（米国ＰＡ、Ｂｅｌｌｅｆｏｎｔｅ、Ｓｕｐｅｌｃｏ  Ｉｎｃ．）を備えるＡｇｉｌｅｎｔ  ７８９０Ｂ／５９７７Ａ  ＧＣ−ＭＳシステム（米国ＣＡ  Ｓａｎｔａ  Ｃｌａｒａ，Ａｇｉｌｅｎｔ  Ｔｅｃｈｎｏｌｏｇｉｅｓ）に抽出される。無極毛管カラム（ＤＢ−５ＭＳ  ＵＩ、３０メートル（名目直径）、０．２５ｍｍ（名目直径）、厚さ２５マイクロメートル）のＧＣ分析を行い、質量分析法（ＥＩ、１Ｅ−１７Ｊ７０ｅＶ検出器）によってヘッドスペース成分（すなわち香料原材料）をモニタリングする。スパイクされた布地から香料原料の多点校正を利用して、香料濃度を算出する。検出された各香料原料の質量の合計を布地の質量で除した値が総堆積である。堆積効率は、布地１グラム当たりで抽出された香料を、投入した布地の総重量で割った洗濯機に投入した封入香料の合計で割り、これをパーセンテージで示す。
【実施例】
【０１１４】
実施例１−洗剤配合物
液体洗剤組成物を、表１に記載される成分を、記載される比率で混合することにより調製する。例１Ａ及び１Ｂは、アニオン性アルコキシル化アルキルサルフェート界面活性剤（即ち、ＬＡＳ及び非イオン性界面活性剤）ではない界面活性剤系の主要部分を有する比較例である。例１Ｃ及び１Ｄは、本開示に係る洗剤組成物であり、アニオン性アルコキシル化アルキルサルフェート界面活性剤を界面活性剤系の主要部分として有する。各組成物は、コーティングされた封入体も含む。
【０１１５】
【表１】
2019515098.tif 000007
１ＢＡＳＦ（Ｌｕｄｗｉｇｓｈａｆｅｎ，Ｇｅｒｍａｎｙ）から入手可能
２ＢＡＳＦ（Ｌｕｄｗｉｇｓｈａｆｅｎ，Ｇｅｒｍａｎｙ）から入手可能な、−ＮＨ当たり２０個のエトキシレート基を有する分子量６００ｇ／ｍｏｌのポリエチレンイミンコア。
３Ｅｌｅｍｅｎｔｉｓ  Ｓｐｅｃｉａｌｔｉｅｓ（Ｈｉｇｈｓｔｏｗｎ，ＮＪ）社からＴｈｉｘｉｎＲの商標名で入手可能。
４ポリ（ビニルホルムアミド塗布）を有するアミノプラスト香料が一致する封入体。Ｅｎｃａｐｓｙｓ（Ａｐｐｌｅｔｏｎ，ＷＩ）から入手可能。
５ダウ・コーニング（Dow Corning）（ミシガン州ミッドランド（Midland））から入手可能。
【０１１６】
実施例２−堆積及びヘッドスペース分析
表１の配合物１Ａ、１Ｂ、１Ｃを用いて、上記の布地準備方法Ｂ１によって布地（綿１００％テリー織りタオル）を処理した。この布地を、上記の堆積及びヘッドスペース分析試験方法によって分析し、この結果を表２に示す。
【０１１７】
【表２】
2019515098.tif 000008
【０１１８】
表２に示すように、界面活性剤系の主要部分としてアルコキシル化アルキルサルフェート界面活性剤を有する洗剤組成物（試行２Ｃ）が、ＬＡＳ又は非イオン界面活性剤を主要部分として含むその試行と比較して、最もコーティングされた封入体の堆積率が高かった。試行２Ｃは更に、最大の乾燥布地のヘッドスペースを実現した。
【０１１９】
実施例３−コーティングされた封入体と、コーティングされていない封入体
配合物１Ｄの洗剤組成物を、コーティングされた封入体で作製した。更に、概して同様の配合物であるが、コーティングされた封入体の代わりにコーティングされていない封入体を使用した比較例も作製した。コーティングされていない封入体は、コーティングされた封入体と同じプロセスを経て、コーティングされる前にプロセスから外される。この布地を、上記の洗剤を用いて処理し、次いで堆積試験方法によって分析し、この結果を表３に示す。
【０１２０】
【表３】
2019515098.tif 000009
【０１２１】
表３に示すように、コーティングされた封入体（試行３Ａ）を含む本開示の配合物は、コーティングされていない封入体（試行３Ｂ）を含む同様の配合物よりも堆積効率が優れていた。
【０１２２】
実施例４．更なる配合物を用いた堆積及びヘッドスペースの分析
表１の配合物１Ａ、１Ｂ、１Ｃを用いて、上記の布地準備方法Ｂ１によって布地（綿１００％テリー織りタオル）を処理した。この布地を、上記のヘッドスペース分析試験方法によって分析し、この結果を表４に示す。
【０１２３】
【表４】
2019515098.tif 000010
【０１２４】
表４に示すように、界面活性剤系の主要部分としてアルコキシル化アルキルサルフェート界面活性剤を有する洗剤組成物（試行４Ｃ）が、アニオン性スルフォネートの割合に対するアニオン性アルコキシル化サルフェートの割合が低い他のサンプルと比較して、最も高い乾燥布地のヘッドスペースを実現した。
【０１２５】
実施例５．追加の配合物
【０１２６】
【表５】
2019515098.tif 000011
１ＢＡＳＦ（Ｌｕｄｗｉｇｓｈａｆｅｎ，Ｇｅｒｍａｎｙ）より入手可能
２ＢＡＳＦ（Ｌｕｄｗｉｇｓｈａｆｅｎ，Ｇｅｒｍａｎｙ）から入手可能な、−ＮＨ当たり２０個のエトキシレート基を有する分子量６００ｇ／ｍｏｌのポリエチレンイミンコア。
３Ｅｌｅｍｅｎｔｉｓ  Ｓｐｅｃｉａｌｔｉｅｓ（Ｈｉｇｈｓｔｏｗｎ，ＮＪ）社よりＴｈｉｘｉｎＲの商標名で入手可能。
４ポリ（ビニルホルムアミド塗布）を有するアミノプラスト香料が一致する封入体Ｅｎｃａｐｓｙｓ（Ａｐｐｌｅｔｏｎ，ＷＩ）から入手可能。
５ダウ・コーニング（Dow Corning)（ミシガン州ミッドランド（Midland））から入手可能。
６−ＮＨあたり２４個のエトキシレート基と−ＮＨあたり１６個のプロポキシレート基とを有する、分子量６００ｇ／ｍｏｌのポリエチレンイミンコア。ＢＡＳＦ（Ｌｕｄｗｉｇｓｈａｆｅｎｍ，Ｇｅｒｍａｎｙ）から入手可能。
【０１２７】
本明細書に開示した寸法及び値は、記載された正確な数値に厳密に限定されるものと理解されるべきではない。むしろ、特に指定がない限り、そのような各寸法は、記載された値及びその値の周辺の機能的に同等の範囲の両方を意味することを意図している。例えば「４０ｍｍ」として開示される寸法は、「約４０ｍｍ」を意味するものとする。
【０１２８】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【０１２９】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019515098.tif 000012
【国際調査報告】
2019515098.tif 000013
2019515098.tif 000014